(57)【要約】【課題】次以降に放送される番組情報を表示可能な番組表では詳細情報すべてを表示することはできないため、番組表から特定の番組を選択したときに番組詳細情報を表示する装置があることは公知である。しかし、ある番組の詳細情報を表示した後、別の番組の詳細情報を表示するためには、一旦番組表に戻ってから選択しなおす必要があり、番組詳細情報を利用して所望の番組を探すユーザにとっては操作性が悪いという課題を有していた。【解決手段】リモコンコード受光部１０と、情報表示部２０と、表示情報管理部３０と、番組情報受信部４０と、番組情報記憶部５０と、番組表表示情報作成部６０と、番組表カーソル位置管理部７０と、番組詳細表示情報８０とを備え、番組詳細情報画面に、別の番組詳細情報を表示するためのボタンを表示し、選択することにより、画面を終了せずに別の番組の詳細情報を表示できるので、ユーザの操作性を改善することが可能となる。【選択図】図１
2007208604.tif 000002
【特許請求の範囲】
【請求項１】
番組情報を受信する手段と、受信した前記番組情報を記憶する手段と、リモコンコードを受光する手段と、情報を表示する手段と、受光した前記リモコンコードにより表示情報を変更する手段と、番組表に表示する情報を作成する手段と、表示する番組詳細情報を作成する手段と、番組表のカーソル位置を管理する手段とを具備することを特徴とする番組詳細情報連続表示装置。
【発明の詳細な説明】
【技術分野】
【０００１】
本発明は、テレビ受信機に番組情報を表示する技術における番組詳細情報連続表示装置に関するものである。
【背景技術】
【０００２】
従来、番組関連情報を蓄積し、ユーザのチャンネルアップおよびダウン操作を受けてチャンネルを変更し、番組画面を表示すると共に、一定の期間、現在放送中の番組関連情報および次に放送される番組関連情報を合わせて表示する装置がある。（例えば、特許文献１参照）。
【特許文献１】特開２００４−２３５８４７号公報
【発明の開示】
【発明が解決しようとする課題】
【０００３】
しかしながら、前記従来の装置では、次以降に放送される番組に関する番組関連情報を表示することはできないという課題を有していた。一方、番組表では、次以降に放送される番組に関する情報が表示できるが、一覧性を確保するためには詳細情報すべてを表示することはできない。このため、番組表から特定の番組を選択したときに番組詳細情報を表示する装置があることは公知である。ところが、ある番組の詳細情報を表示した後、別の番組の詳細情報を表示するためには、一旦番組表に戻ってから選択しなおす必要があり、番組詳細情報を利用して所望の番組を探すユーザにとっては操作性が悪いという課題を有していた。
【０００４】
本発明は、前記従来の課題を解決するもので、番組表からある番組を選択して番組詳細情報を表示する際、別の番組の詳細情報を表示するためのボタンを表示し、そのボタンを選択することにより、番組表に戻ることなく別の番組の詳細情報を表示することが可能となる番組詳細情報連続表示装置を提供することを目的とする。
【課題を解決するための手段】
【０００５】
前記従来の課題を解決するために、本発明の番組詳細情報連続表示装置は、番組情報を受信する手段と、受信した前記番組情報を記憶する手段と、リモコンコードを受光する手段と、情報を表示する手段と、受光した前記リモコンコードにより表示情報を変更する手段と、番組表に表示する情報を作成する手段と、表示する番組詳細情報を作成する手段と、番組表のカーソル位置を管理する手段とを有し、番組詳細情報を表示する際、別の番組の詳細情報を表示するためのボタンを表示する。
【０００６】
本構成によって、番組表からある番組を選択して番組詳細情報を表示する際、別の番組の詳細情報を表示するためのボタンを表示することができ、そのボタンを選択することにより、番組表に戻ることなく別の番組の詳細情報を表示することが可能となる。
【発明の効果】
【０００７】
本発明の番組詳細情報連続表示装置によれば、番組表からある番組を選択して番組詳細情報を表示した後、番組表に戻ることなく別の番組の詳細情報を表示することが可能となり、番組詳細情報を利用して所望の番組を探すユーザにとっての操作性を改善することができる。
【発明を実施するための最良の形態】
【０００８】
以下本発明を実施するための最良の形態について、図面を参照しながら説明する。
【０００９】
（実施の形態１）
図１は、本発明の実施の形態１に係る番組詳細情報連続表示装置の構成を示すブロック図である。
【００１０】
１０００は番組詳細情報連続表示装置を有するテレビ受信機、１０はリモコンコードを受光するリモコンコード受光部、２０は情報を表示する情報表示部、３０は前記リモコンコード受光部１０で受光したリモコンコードにより表示情報を変更する表示情報管理部、４０は番組情報を受信する番組情報受信部、５０は前記番組情報受信部４０で受信した番組情報を記憶する番組情報記憶部、６０は前記番組情報記憶部５０に記憶された番組情報から番組表表示情報を作成する番組表表示情報作成部、７０は番組表のカーソル位置を管理する番組表カーソル位置管理部、８０は前記番組情報記憶部５０に記憶された番組情報から番組詳細表示情報を作成する番組詳細表示情報作成部である。
【００１１】
次に、本発明の番組詳細情報連続表示処理について、図２に示すフローチャートを用いて説明する。
【００１２】
番組情報受信部４０において、番組情報を受信する（図２のステップ１０）。番組情報記憶部５０において、受信した番組情報を記憶する（図２のステップ２０）。リモコンコード受光部１０において、リモコンコードを受光する（図２のステップ３０）。表示情報管理部３０において、受光したリモコンコードが番組表を表示することを指示するリモコンコードであると識別する（図２のステップ４０）。番組表表示情報作成部６０において、番組表に表示する情報を作成する（図２のステップ５０）。情報表示部２０において、番組表を表示する（図２のステップ６０）。リモコンコード受光部１０において、リモコンコードを受光する（図２のステップ７０）。表示情報管理部３０において、受光したリモコンコードが番組詳細情報を表示することを指示するリモコンコードであると識別する（図２のステップ８０）。番組詳細表示情報作成部８０において、番組詳細表示情報を作成する（図２のステップ９０）。情報表示部２０において、番組詳細情報を表示する（図２のステップ１００）。番組表カーソル位置管理部７０において、番組表の現在カーソル位置の上に番組が存在するか確認する（図２のステップ１１０）。番組表の現在カーソル位置の上に番組が存在する場合は、番組表の現在カーソル位置の上の番組の詳細情報を表示するためのボタンを表示する（図２のステップ１２０）。番組表カーソル位置管理部７０において、番組表の現在カーソル位置の下に番組が存在するか確認する（図２のステップ１３０）。番組表の現在カーソル位置の下に番組が存在する場合は、番組表の現在カーソル位置の下の番組の詳細情報を表示するためのボタンを表示する（図２のステップ１４０）。番組表カーソル位置管理部７０において、番組表の現在カーソル位置の左に番組が存在するか確認する（図２のステップ１５０）。番組表の現在カーソル位置の左に番組が存在する場合は、番組表の現在カーソル位置の左の番組の詳細情報を表示するためのボタンを表示する（図２のステップ１６０）。番組表カーソル位置管理部７０において、番組表の現在カーソル位置の右に番組が存在するか確認する（図２のステップ１７０）。番組表の現在カーソル位置の右に番組が存在する場合は、番組表の現在カーソル位置の右の番組の詳細情報を表示するためのボタンを表示する（図２のステップ１８０）。処理を終了する。
【００１３】
次に、番組詳細情報連続表示の実施例について、図３を用いて説明する。
【００１４】
図３は、現在時刻が１：００の場合の例である。番組表画面１００において、番組２２を選択すると、番組２２の番組詳細情報を表示する（図３の番組詳細情報画面１１０）。番組詳細情報画面１１０において、前の番組ボタンを選択すると、番組表画面１００における番組２２の上に位置する番組である番組２１の番組詳細情報を表示する（図３の番組詳細情報画面１２０）。現在時刻が１：００であるため、前の番組ボタンは表示しない。番組詳細情報画面１２０において、１０３ｃｈの番組ボタンを選択すると、番組表画面１００における番組２１の右の番組である番組３１の番組詳細情報を表示する（図３の番組詳細情報画面１３０）。現在時刻が１：００であるため、前の番組ボタンは表示しない。
【産業上の利用可能性】
【００１５】
本発明にかかる番組詳細情報連続表示装置は、番組表からある番組を選択して番組詳細情報を表示した後、番組表に戻ることなく別の番組の詳細情報を表示することが可能となり、番組詳細情報を利用して所望の番組を探すユーザにとっての操作性が改善するので、テレビ受信機に番組情報を表示する技術における番組詳細情報連続表示装置として有用である。
【図面の簡単な説明】
【００１６】
【図１】本発明の実施の形態１における番組詳細情報連続表示装置の構成を示すブロック図
【図２】本発明の実施の形態１における番組詳細情報連続表示処理を示すフローチャート
【図３】本発明の実施の形態１における番組詳細情報連続表示例を示す図
【符号の説明】
【００１７】
１０００    テレビ受信機
１０    リモコンコード受光部
２０    情報表示部
３０    表示情報管理部
４０    番組情報受信部
５０    番組情報記憶部
６０    番組表表示情報作成部
７０    番組表カーソル位置管理部
８０    番組詳細表示情報作成部
【図１】
2007208604.tif 000003
【図２】
2007208604.tif 000004
【図３】
2007208604.tif 000005